(57)【要約】【課題】層間紙を巻き取るための専用の駆動源が不要であり、層間紙を良好に巻き取ることができ、端子リールを再利用しやすい層間紙巻き取り装置を提供すること。【解決手段】端子帯２および層間紙３が巻かれた端子リール４が取り付けられ、端子リール４を回転可能に支持する支持軸１１と、支持軸１１に支持され、端子リール４の回転力を受けて回転する回転板１２と、回転板１２の回転力を駆動力として層間紙３を巻き取る巻き取り機構２０と、を備えている。【選択図】図１
2020119806.tif 000002
【特許請求の範囲】
【請求項１】
端子帯と前記端子帯に重ねられた層間紙とが巻かれた端子リールが取り付けられ、前記端子リールを回転可能に支持する支持軸と、
前記支持軸に支持され、前記端子リールの回転力を受けて回転する回転体と、
前記回転体の回転力を駆動力として前記層間紙を巻き取る巻き取り機構と、
を備えた、層間紙巻き取り装置。
【請求項２】
前記端子リールは、前記端子帯および前記層間紙が巻かれる軸部と、前記軸部の軸方向の一方に設けられ、前記軸部側と反対側に位置する第１回転面を含む円板部と、を有し、
前記回転体は、前記端子リールの前記第１回転面に対向する第２回転面を有し、
前記第１回転面から前記第２回転面に回転力が伝わることによって前記回転体が前記端子リールと共に回転するように構成されている、請求項１に記載の層間紙巻き取り装置。
【請求項３】
前記巻き取り機構は、前記層間紙が巻き取られる巻き取り軸と、前記巻き取り軸の軸方向の一方に設けられ、前記巻き取り軸が固定された巻き取り円板部と、を有し、
前記回転体から前記巻き取り円板部に回転力が伝わることによって前記巻き取り円板部および前記巻き取り軸が前記回転体と共に回転するよう、前記回転体の外周面と前記巻き取り円板部の外周面とが接触している、請求項１または２に記載の層間紙巻き取り装置。
【請求項４】
前記巻き取り円板部は、前記回転体の外周面と接触する前記外周面を有する第１円板部と、前記巻き取り軸が固定され、前記第１円板部と重ねられた第２円板部と、を含み、
前記巻き取り機構は、前記第１円板部から前記第２円板部に伝達される回転力が所定値を超えると、前記回転力が前記所定値以下となるよう前記第１円板部を前記第２円板部に対して滑らせるスリップ機構を備えている、請求項３に記載の層間紙巻き取り装置。
【請求項５】
前記巻き取り機構は、前記回転体の回転中心から外れた部分から軸方向に延び、前記回転体の回転に伴って旋回する旋回棒と、前記回転体に向かって軸方向に延びる静止棒と、を有し、
前記旋回棒に、前記層間紙が取り付けられる取付部が設けられている、請求項１または２に記載の層間紙巻き取り装置。
【請求項６】
前記巻き取り機構は、前記回転体の回転中心から外れた部分から軸方向に延び、前記回転体の回転に伴って旋回する旋回棒と、前記回転体に向かって軸方向に延びる静止棒と、を有し、
前記静止棒に、前記層間紙が取り付けられる取付部が設けられている、請求項１または２に記載の層間紙巻き取り装置。
【請求項７】
前記巻き取り機構は、前記静止棒が固定された静止板と、前記支持軸に支持され、前記静止板に重ねられた支持板と、前記静止板から前記支持板に伝達される回転力が所定値を超えると、前記回転力が前記所定値以下となるよう前記静止板を前記支持板に対して滑らせるスリップ機構と、を備えている、請求項５または６に記載の層間紙巻き取り装置。
【請求項８】
前記旋回棒および前記静止棒は、それぞれ複数設けられている、請求項５〜７のいずれか一つに記載の層間紙巻き取り装置。
【発明の詳細な説明】
【技術分野】
【０００１】
本発明は、リールに巻かれた端子帯および層間紙から端子帯を引き出す際に、端子帯と共に繰り出される層間紙を巻き取る層間紙巻き取り装置に関する。
【背景技術】
【０００２】
従来から、ワイヤハーネスを製造する電線処理装置などにおいて、電線に端子を圧着する処理（以下、端子圧着処理という）が行われている。端子圧着処理は、端子圧着機によって連続的に順次行われる。そのため、複数の端子が連なった端子帯を予めリールに巻いた状態で準備しておき、その端子帯をリールから端子圧着機に向けて順次送り出すこととしている。リール内で重ねられた端子同士が引っ掛からないように、端子帯の間には層間紙が挟まれている。リールから端子帯を引っ張り出すと、端子帯と共に層間紙が繰り出される。リールから繰り出された層間紙が邪魔にならないよう、層間紙を巻き取る層間紙巻き取り装置が用いられる。
【０００３】
特許文献１には、層間紙を巻き取る巻き取りロールをモータで回転駆動する層間紙巻き取り装置が開示されている。
【０００４】
特許文献２には、端子帯が巻かれたリール（以下、端子リールという）の外周面と転がり接触するように設けられた回転軸と、当該回転軸と一体の巻き取りロールとを備えた層間紙巻き取り装置が開示されている。特許文献２に開示された層間紙巻き取り装置によれば、端子リールの回転に伴って巻き取りロールが回転するので、巻き取りロールを回転駆動するモータがなくても、層間紙を自動的に巻き取ることができる。
【先行技術文献】
【特許文献】
【０００５】
【特許文献１】特開２００９−２１８０６８号公報
【特許文献２】特開２００７−６６５３４号公報
【発明の概要】
【発明が解決しようとする課題】
【０００６】
しかし、端子リールは消耗品のため、安価な段ボール紙等にて形成されている場合が多く、回転軸との転がり接触により、端子リールの外周面が傷み変形しやすい。そのため、端子リールの回転と巻き取りロールの回転とがうまく同期せず、層間紙を良好に巻き取ることができない場合があった。また、端子リールの外周面が傷み変形しやすいので、端子リールを他の装置で再利用することが難しかった。
【０００７】
本発明はかかる点に鑑みてなされたものであり、その目的は、層間紙を巻き取るための専用の駆動源が不要であり、層間紙を良好に巻き取ることができ、端子リールを再利用しやすい層間紙巻き取り装置を提供することである。
【課題を解決するための手段】
【０００８】
本発明に係る層間紙巻き取り装置は、端子帯と前記端子帯に重ねられた層間紙とが巻かれた端子リールが取り付けられ、前記端子リールを回転可能に支持する支持軸と、前記支持軸に支持され、前記端子リールの回転力を受けて回転する回転体と、前記回転体の回転力を駆動力として前記層間紙を巻き取る巻き取り機構と、を備える。
【０００９】
上記層間紙巻き取り装置によれば、回転体は端子リールの回転力（言い換えるとトルク）を受けて回転し、巻き取り機構は、その回転体の回転力を駆動力として層間紙を巻き取る。そのため、層間紙を巻き取るための専用の駆動源は不要である。また、回転体は、端子リールが支持される支持軸に支持されており、端子リールの外周面と転がり接触しない。そのため、端子リールが段ボール紙等にて形成されている場合であっても、端子リールの外周面は傷みにくい。したがって、層間紙を良好に巻き取ることができる。また、端子リールの再利用が容易となる。
【００１０】
本発明の好ましい一態様によれば、前記端子リールは、前記端子帯および前記層間紙が巻かれる軸部と、前記軸部の軸方向の一方に設けられ、前記軸部側と反対側に位置する第１回転面を含む円板部と、を有している。前記回転体は、前記端子リールの前記第１回転面に対向する第２回転面を有している。前記層間紙巻き取り装置は、前記第１回転面から前記第２回転面に回転力が伝わることによって前記回転体が前記端子リールと共に回転するように構成されている。
【００１１】
上記態様によれば、第１回転面と第２回転面との間に発生する摩擦力により、端子リールから回転体に回転力が伝達される。ここで、端子リールの円板部の回転面（第１回転面）は、円板部の外周面よりも丈夫である。そのため、端子リールが段ボール紙等にて形成されている場合であっても、端子リールは傷みにくい。
【００１２】
本発明の好ましい一態様によれば、前記巻き取り機構は、前記層間紙が巻き取られる巻き取り軸と、前記巻き取り軸の軸方向の一方に設けられ、前記巻き取り軸が固定された巻き取り円板部と、を有している。前記回転体から前記巻き取り円板部に回転力が伝わることによって前記巻き取り円板部および前記巻き取り軸が前記回転体と共に回転するよう、前記回転体の外周面と前記巻き取り円板部の外周面とが接触している。
【００１３】
上記態様によれば、回転体の回転力が回転体の外周面から巻き取り円板部の外周面に伝達され、巻き取り軸が回転する。これにより、回転体の回転力を駆動力として、層間紙が巻き取り軸に巻き取られる。
【００１４】
本発明の好ましい一態様によれば、前記巻き取り円板部は、前記回転体の外周面と接触する前記外周面を有する第１円板部と、前記巻き取り軸が固定され、前記第１円板部に重ねられた第２円板部と、を含んでいる。前記巻き取り機構は、前記第１円板部から前記第２円板部に伝達される回転力が所定値を超えると、前記回転力が前記所定値以下となるよう前記第１円板部を前記第２円板部に対して滑らせるスリップ機構を備えている。なお、第２円板部は第１円板部に直接重ねられていてもよく、他の部材を介して間接的に重ねられていてもよい。
【００１５】
巻き取り機構が層間紙を引っ張る力が大きすぎると、層間紙が破断してしまうおそれがある。しかし、上記態様によれば、第１円板部から第２円板部に伝達される回転力が所定値を超えると、第１円板部は第２円板部に対して滑る。そのため、巻き取り軸に過大な回転力は伝達されないので、巻き取り機構が層間紙を引っ張る力が過大になることは防止される。したがって、層間紙の破断を防止することができる。
【００１６】
本発明の好ましい一態様によれば、前記巻き取り機構は、前記回転体の回転中心から外れた部分から軸方向に延び、前記回転体の回転に伴って旋回する旋回棒と、前記回転体に向かって軸方向に延びる静止棒と、を有している。前記旋回棒に、前記層間紙が取り付けられる取付部が設けられている。
【００１７】
上記態様によれば、回転体が回転すると、旋回棒が層間紙を引っ張りながら回転体の回転中心周りに旋回し、層間紙が旋回棒および静止棒に巻き取られる。これにより、回転体の回転力を駆動力として、層間紙が巻き取られる。
【００１８】
本発明の好ましい一態様によれば、前記巻き取り機構は、前記回転体の回転中心から外れた部分から軸方向に延び、前記回転体の回転に伴って旋回する旋回棒と、前記回転体に向かって軸方向に延びる静止棒と、を有している。前記静止棒に、前記層間紙が取り付けられる取付部が設けられている。
【００１９】
上記態様によれば、回転体が回転すると、旋回棒が回転体の回転中心周りに旋回し、層間紙における端子リールと静止棒との間の部分を旋回方向に向けて引っ張る。層間紙は、旋回棒および静止棒に巻き取られるが、旋回棒によって折り返された状態となる。そのため、折り返し部分の長さの分だけ、回転板が回転したときの巻き取り量を増加させることができる。
【００２０】
本発明の好ましい一態様によれば、前記巻き取り機構は、前記静止棒が固定された静止板と、前記支持軸に支持され、前記静止板に重ねられた支持板と、前記静止板から前記支持板に伝達される回転力が所定値を超えると、前記回転力が前記所定値以下となるよう前記静止板を前記支持板に対して滑らせるスリップ機構と、を備えている。なお、支持板は静止板に直接重ねられていてもよく、他の部材を介して間接的に重ねられていてもよい。
【００２１】
巻き取り機構が層間紙を引っ張る力が大きすぎると、層間紙が破断してしまうおそれがある。しかし、上記態様によれば、静止板から支持板に伝達される回転力が所定値を超えると、静止板は支持板に対して滑る。そのため、静止棒に過大な力は伝達されないので、巻き取り機構が層間紙を引っ張る力が過大になることは防止される。したがって、層間紙の破断を防止することができる。
【００２２】
本発明の好ましい一態様によれば、前記旋回棒および前記静止棒は、それぞれ複数設けられている。
【００２３】
上記態様によれば、層間紙の折り返し部分を増やすことができる。よって、回転板が回転したときの巻き取り量を更に増加させることができる。
【発明の効果】
【００２４】
本発明によれば、層間紙を巻き取るための専用の駆動源が不要であり、層間紙を良好に巻き取ることができ、端子リールを再利用しやすい層間紙巻き取り装置を提供することができる。
【図面の簡単な説明】
【００２５】
【図１】第１実施形態に係る層間紙巻き取り装置の正面図である。
【図２】第１実施形態に係る層間紙巻き取り装置の側面図である。
【図３】端子帯および層間紙の平面図である。
【図４】図２の部分拡大図である。
【図５】第２実施形態に係る層間紙巻き取り装置の正面図である。
【図６】第２実施形態に係る層間紙巻き取り装置の側面図である。
【図７】第２実施形態に係る層間紙巻き取り装置において、端子リールの円板部および巻き取り機構の両回転板の一部を拡大した断面図である。
【図８】第２実施形態に係る層間紙巻き取り装置において、静止板、中間板、および支持板の一部を拡大した断面図である。
【図９】第２実施形態に係る層間紙巻き取り装置において、層間紙が旋回軸および固定軸に巻き取られる様子を表す概念図である。
【図１０】第２実施形態の変形例に係る層間紙巻き取り装置において、層間紙が旋回軸および固定軸に巻き取られる様子を表す概念図である。
【図１１】第２実施形態の他の変形例に係る層間紙巻き取り装置の正面図である。
【図１２】第２実施形態の他の変形例に係る層間紙巻き取り装置の側面図である。
【発明を実施するための形態】
【００２６】
（第１実施形態）
以下、図面を参照しながら、本発明の実施の形態について説明する。図１は第１実施形態に係る層間紙巻き取り装置１の正面図である。図２は層間紙巻き取り装置１の側面図である。層間紙巻き取り装置１は、端子帯２および層間紙３が巻かれた端子リール４から端子帯２が引き出される際に、端子帯２と共に繰り出される層間紙３を巻き取る装置である。なお、図２では、端子帯２および層間紙３の図示は省略している。
【００２７】
図３は端子帯２および層間紙３を表す図である。端子帯２は、図示しない電線に圧着される複数の端子２Ａが連なって構成されている。層間紙３は、端子帯２に重ねられた状態で、端子帯２と一緒に端子リール４に巻かれている。
【００２８】
層間紙巻き取り装置１は、端子リール４が取り付けられ、端子リール４を回転可能に支持する支持軸１１と、支持軸１１に支持され、端子リール４の回転力を受けて回転する回転板１２と、回転板１２の回転力を駆動力として層間紙３を巻き取る巻き取り機構２０とを備えている。図２に示すように、本実施形態では、支持軸１１に２つの端子リール４が支持されており、回転板１２および巻き取り機構２０は２つずつ設けられている。しかし、端子リール４、回転板１２、および巻き取り機構２０の個数は１つでもよい。後述する他の実施形態においても同様である。
【００２９】
図２に示すように、端子リール４は、端子帯２および層間紙３が巻かれる軸部４Ａと、軸部４Ａの軸方向（図２の左右方向）の一方に設けられた円板部４Ｂと、軸部４Ａの軸方向の他方に設けられた円板部４Ｃとを有している。円板部４Ｂの軸部４Ａと反対側の面４Ｓは、回転板１２と対向している。以下、本実施形態では、円板部４Ｂの面４Ｓのことを第１回転面４Ｓと言う。端子リール４の材料は特に限定されないが、ここでは段ボール紙である。
【００３０】
回転板１２は、端子リール４と同様に支持軸１１に支持されているので、端子リール４と同軸上に配置されている。回転板１２の回転中心ＣＲと端子リール４の回転中心とは一致している。回転板１２は、端子リール４の第１回転面４Ｓに対向する第２回転面１２Ｓを有している。第１回転面４Ｓと第２回転面１２Ｓとは面接触している。これら第１回転面４Ｓと第２回転面１２Ｓとの間に生じる摩擦力により、回転板１２は端子リール４と共に回転するようになっている。本実施形態では、回転板１２の直径は端子リール４の直径（詳しくは円板部４Ｂ，４Ｃの直径）よりも大きい。ただし、限定される訳ではない。回転板１２の直径は端子リール４の直径と等しくてもよく、端子リール４の直径よりも小さくてもよい。回転板１２の厚みは、端子リール４の厚みよりも小さい。ただし、限定される訳ではない。回転板１２の材料は特に限定されないが、端子リール４の材料よりも強度の大きな材料が好ましい。回転板１２の材料は、例えば、金属（ステンレスやアルミニウムなど）、合成樹脂、木材、ゴムであってもよい。回転板１２は単一の部材によって構成されていてもよく、複数の部材を組み合わせることによって構成されていてもよい。
【００３１】
巻き取り機構２０は、層間紙３が巻き取られる巻き取り軸２１，２２と、巻き取り軸２１，２２の軸方向の一方に設けられた巻き取り円板部２３とを有している。巻き取り軸２１には、層間紙３が取り付けられる。巻き取り軸２１は、層間紙３が取り付けられる取付部２１ａを有している。巻き取り円板部２３が回転すると、巻き取り軸２１，２２は、巻き取り円板部２３の回転中心周りに旋回する。その結果、層間紙３は、巻き取り軸２１，２２に巻き取られる。巻き取り円板部２３の外周面２３Ｔと、回転板１２の外周面１２Ｔとは、回転板１２から巻き取り円板部２３に回転力が伝わるように接触している。本実施形態では、回転板１２の外周面１２Ｔおよび巻き取り円板部２３の外周面２３Ｔは、周方向に凹凸がない円周面によって形成されている。回転板１２が回転すると、回転板１２の外周面１２Ｔと巻き取り円板部２３の外周面２３Ｔとの間の摩擦力により、巻き取り円板部２３が回転する。
【００３２】
なお、本実施形態では、上記摩擦力によって回転板１２から巻き取り円板部２３に回転力が伝達されるが、特に限定されない。回転板１２の外周面１２Ｔと巻き取り円板部２３の外周面２３Ｔとは、回転板１２から巻き取り円板部２３に回転力が伝わることによって巻き取り円板部２３および巻き取り軸２１，２２が回転板１２と共に回転するように接触していればよい。他の接触態様、例えば、回転板１２および巻き取り円板部２３が歯車状に形成され、それらの外周面に形成された凹凸部が互いに噛み合っていてもよい。この場合も、回転板１２から巻き取り円板部２３に回転力が伝達され、巻き取り円板部２３および巻き取り軸２１，２２は回転板１２と共に回転する。
【００３３】
図４は図２の一部を拡大した図である。図４に示すように、巻き取り円板部２３は、回転板１２の外周面１２Ｔと接触する前記外周面２３Ｔを有する第１円板部２３Ａと、巻き取り軸２１，２２が固定された第２円板部２３Ｂとを含んでいる。第２円板部２３Ｂは第１円板部２３Ａに重ねられている。本実施形態では、第２円板部２３Ｂは第１円板部２３Ａに直接重ねられており、第１円板部２３Ａおよび第２円板部２３Ｂは互いに面接触している。ただし、第１円板部２３Ｂは他の部材を介して第１円板部２３Ａに間接的に重ねられていてもよい。
【００３４】
図４において、第２円板部２３Ｂは第１円板部２３Ａの右側に配置されている。第２円板部２３Ｂの右側には、第２円板部２３Ｂを第１円板部２３Ａに向けて押しつける付勢機構９が設けられている。付勢機構９は、押しつけ部材７と、押しつけ部材７に係合するボルト６と、押しつけ部材７とボルト６との間に配置されたばね５とを有している。第２円板部２３Ｂは、押しつけ部材７を介してばね５から左向きの力を受け、第１円板部２３Ａに向けて押しつけられている。ボルト６を回転させることにより、第２円板部２３Ｂに対する押しつけ力を調整することができる。
【００３５】
第２円板部２３Ｂが第１円板部２３Ａに向かって押しつけられていることにより、第１円板部２３Ａと第２円板部２３Ｂとの間に摩擦力が発生する。この摩擦力により、第１円板部２３Ａから第２円板部２３Ｂに回転力が伝達され、第２円板部２３Ｂは第１円板部２３Ａと共に回転する。一方、第１円板部２３Ａから第２円板部２３に伝達される回転力が所定値を超えると、第１円板部２３Ａは第２円板部２３Ｂに対して滑り、上記回転力は前記所定値以下となる。なお、上記所定値は、ボルト６を回転させることによって第２円板部２３Ｂに対する押しつけ力を調整することにより、適宜に調整することができる。本実施形態では、付勢機構９により、第１円板部２３Ａから第２円板部２３Ｂに伝達される回転力が所定値以下となるよう第１円板部２３Ａを第２円板部２３Ｂに対して滑らせるスリップ機構が構成されている。なお、上記所定値の調整が不要な場合、付勢機構９のばね５およびボルト６は必ずしも必要ではない。
【００３６】
端子圧着装置８は、端子２Ａの圧着動作を順次繰り返し行うように構成されている。端子圧着装置８の構成は周知であるため、その説明は省略する。端子圧着装置８は、図示しない電線に端子２Ａを圧着すると同時に、当該端子２Ａを端子帯２から切り離す。次に、端子圧着装置８は、端子帯２を引っ張り、次の端子２Ａを所定の位置に搬送する。そして、端子圧着装置８に搬送されてきた次の電線に、上記端子２Ａを圧着する。以下、同様の動作を繰り返す。
【００３７】
端子圧着装置８が端子帯２を引っ張ると、図１に矢印で示すように、端子帯２は端子リール４から引き出される。これに伴い、端子リール４が回転する。このように、端子リール４は、端子圧着装置８が端子帯２を引っ張ることによって自動的に回転する。この端子リール４の回転に伴って回転板１２が回転する。回転板１２の回転力は、回転板１２の外周面１２Ｔから巻き取り円板部２３の外周面２３Ｔに摩擦によって伝達され、巻き取り円板部２３が回転する。巻き取り円板部２３が回転すると、巻き取り軸２１，２２は巻き取り円板部２３の回転中心周りに旋回し、層間紙３を巻き取る。以上のようにして、端子帯２が引き出される度に、層間紙３は自動的に巻き取られる。端子圧着装置８は端子帯２を間欠的に引っ張るため、上記の層間紙３の巻き取りも間欠的に行われる。
【００３８】
ところで、端子リール４に巻かれた端子帯２が順次引き出されていくにつれて、端子リール４における端子帯２の巻き径は徐々に小さくなっていく。その結果、端子圧着装置８の１回の引っ張り動作当たりの端子リール４の回転量は、徐々に大きくなっていく。そのため、巻き取り機構２０の巻き取り円板部２３の回転量も徐々に大きくなっていく。一方、層間紙３が巻き取り機構２０に順次巻き取られていくにつれて、巻き取り機構２０における層間紙３の巻き径は徐々に大きくなっていく。その結果、端子圧着装置８の１回の引っ張り動作につき、巻き取り円板部２３に必要な回転量は、徐々に小さくなっていく。したがって、巻き取り円板部２３は必要以上に回転することになり、そのままでは層間紙３を強い力で引っ張ってしまうことになる。しかし、層間紙３を引っ張る力が過大になると、層間紙３が破断してしまうおそれがある。
【００３９】
本実施形態では、巻き取り機構２０が層間紙３を引っ張る力が大きくなると、巻き取り円板部２３の第１円板部２３Ａから第２円板部２３Ｂに伝達される回転力が大きくなる。そして、この回転力が所定値を超えると、第１円板部２３Ａは第２円板部２３Ｂに対して滑る。そのため、第１円板部２３Ａから第２円板部２３Ｂに対し、所定値を超える回転力は伝達されない。よって、第２円板部２３Ｂに設けられた巻き取り軸２１，２２が層間紙３を過大な力で引っ張ることは防止される。したがって、層間紙３の破断は防止される。
【００４０】
以上のように、本実施形態に係る層間紙巻き取り装置１によれば、回転板１２が端子リール４の回転力（トルク）を受けて回転し、巻き取り機構２０が回転板１２の回転力を駆動力として層間紙３を巻き取るため、層間紙３を巻き取るための専用の駆動源（モータ等）は不要である。また、回転板１２は、端子リール４が支持される支持軸１１に支持されており、端子リール４の外周面４Ｔ（図２参照）と転がり接触しない。そのため、端子リール４は段ボール紙で形成されているため傷みやすい傾向があるが、端子リール４が傷んでしまうことを抑制することができる。したがって、層間紙３を良好に巻き取ることができる。また、端子リール４が傷みにくいので、端子リール４の再利用が容易となる。
【００４１】
本実施形態によれば、端子リール４の第１回転面４Ｓと回転板１２の第２回転面１２Ｓとの間に発生する摩擦力により、端子リール４から回転板１２に回転力が伝達される。端子リール４の円板部４Ｂの第１回転面４Ｓは、円板部４Ｂの外周面４Ｔよりも丈夫である。そのため、端子リール４は段ボール紙で形成されているが、端子リール４を傷めることなく、端子リール４から回転板１２に回転力を伝達することができる。
【００４２】
また、層間紙３の巻き取りが進んで層間紙３の引っ張り力が大きくなると、巻き取り円板部２３の第１円板部２３Ａが第２円板部２３Ｂに対して滑るため、層間紙３の引っ張り力が過大になることを防止することができる。よって、層間紙３の破断を防止することができる。
【００４３】
（第２実施形態）
次に、第２実施形態に係る層間紙巻き取り装置１Ａについて説明する。図５、図６は、それぞれ第２実施形態に係る層間紙巻き取り装置１Ａの正面図、側面図である。図６では、端子帯２および層間紙３の図示は省略している。以下の説明では、第１実施形態と同様の部分には同様の符号を付し、それらの詳しい説明は省略する。
【００４４】
本実施形態に係る層間紙巻き取り装置１Ａは、端子リール４を回転可能に支持する支持軸１１と、支持軸１１に支持された回転板１２Ａと、支持軸１１に支持された静止板３３と、回転板１２Ａの回転中心ＣＲから外れた部分から軸方向（図６の右方向）に延びる旋回棒３１と、静止板３３から回転板１２Ａに向かって軸方向（図６の左方向）に延びる静止棒３２とを備えている。
【００４５】
端子リール４の円板部４Ｂの軸部４Ａ側と反対側には、付勢板３４が配置されている。付勢板３４は、円板部４Ｂの軸部４Ａ側と反対側の面（図６の左側の面）に接触している。
【００４６】
回転板１２Ａは、端子リール４の円板部４Ｃに対して、軸部４Ａと反対側に配置されている。回転板１２Ａは、ステンレスやアルミニウムなどの金属によって形成されている。図７に拡大して示すように、回転板１２Ａと円板部４Ｃとの間には、ゴム製の回転板１２Ｂが設けられている。円板部４Ｃと回転板１２Ｂとは面接触している。本実施形態では、回転板１２Ａおよび回転板１２Ｂにより、本発明に係る「回転体」が構成されている。円板部４Ｃの回転板１２Ｂに対向する面、回転板１２Ｂの円板部４Ｃに対向する面は、それぞれ第１回転面４Ｓ、第２回転面１２Ｓを構成している。端子リール４が回転すると、その回転力は第１回転面４Ｓから第２回転面１２Ｓに伝わり、回転板１２Ａ，１２Ｂが回転する。
【００４７】
静止板３３は、ステンレスやアルミニウムなどの金属によって形成されている。静止板３３の回転板１２Ａ側と反対側（図６の右側）には、ステンレスやアルミニウムなどの金属によって形成された支持板３８が配置されている。支持板３８は支持軸１１に固定されており、回転しないように構成されている。図８に拡大して示すように、静止板３３と支持板３８との間には、合成樹脂製の中間板３６が介在している。静止板３３は中間板３６を介して支持板３８に間接的に重ねられている。図６に示すように、回転板１２Ａと静止板３３との間には、ばね３５が配置されている。ばね３５は、静止板３３を支持板３８の方（図６の右方向）に向けて押しつけている。静止板３３と中間板３６とは面接触し、中間板３６と支持板３８とは面接触している。静止板３３、中間板３６、および支持板３８の相互の間には摩擦力が発生するので、静止板３３に多少の回転力が加わっても、静止板３３および中間板３６は支持板３８と共に静止したままとなる。一方、静止板３３に所定値を超える大きな回転力が加わると、静止板３３と中間板３６との間、または、中間板３６と支持板３８との間に滑りが生じる。そのため、静止板３３は、所定値を超える回転力が加わると回転するようになっている。巻き取り機構２０には、静止板３３から支持板３８に伝達される回転力が所定値を超えると、前記回転力が所定値以下となるよう静止板３３を支持板３８に対して滑らせるスリップ機構が構成されている。なお、静止板３３および支持板３８の材料を適宜に選定することにより、中間板３６を省略することが可能である。中間板３６は必ずしも必要ではなく、静止板３３は支持板３８に直接的に重ねられていてもよい。
【００４８】
旋回棒３１および静止棒３２は、層間紙３が巻かれる軸部である。旋回棒３１は、回転板１２Ａに固定されており、回転板１２Ａが回転すると回転板１２Ａの回転中心ＣＲ周りに旋回する。静止棒３２は静止板３３に固定されている。
【００４９】
図５に示すように、本実施形態に係る層間紙巻き取り装置１Ａは、端子リール４から繰り出される層間紙３を旋回棒３１および静止棒３２に向けて折り返す折り返し棒３９を備えている。ここでは、折り返し棒３９は支持軸１１の上方に配置されているが、折り返し棒３９の位置は特に限定されない。端子リール４の径方向の外側の任意の位置に、折り返し棒３９を配置することが可能である。
【００５０】
本実施形態においても、端子圧着装置８が端子帯２を引っ張ると、図５に矢印で示すように、端子帯２は端子リール４から引き出される。これに伴い、端子リール４が回転する。端子リール４の回転力は、端子リール４の円板部４Ｃの第１回転面４Ｓから回転板１２Ｂの第２回転面１２Ｓに摩擦によって伝達され、回転板１２Ｂが回転する。この回転板１２Ｂの回転に伴って回転板１２Ａが回転し、図９（ａ）および（ｂ）に示すように旋回棒３１が旋回する。本実施形態では、層間紙３の端部は旋回棒３１に取り付けられている。旋回棒３１には、層間紙３が取り付けられる取付部３１ａが設けられている。旋回棒３１は、層間紙３を引っ張りながら、回転中心ＣＲ周りに旋回する。これにより、層間紙３は旋回棒３１および静止棒３２に巻き取られる。
【００５１】
本実施形態によれば、金属製の静止板３３および支持板３８の間に、合成樹脂製の中間板３６が介在している（図８参照）。層間紙３の巻き取りが進んで層間紙３から静止棒３２に大きな力が加わると、静止板３３が中間板３６に対して滑るか、あるいは、中間板３６が支持板３８に対して滑る。そのため、静止板３３が支持板３８に対して滑り、層間紙３が静止棒３２から過大な引っ張り力を受けることが防止される。したがって、層間紙３の破断を防止することができる。
【００５２】
なお、層間紙３の端部は静止棒３２に取り付けられていてもよい。静止棒３２に、層間紙３が取り付けられる取付部３２ａが設けられていてもよい（図１０参照）。この場合、層間紙３は旋回棒３１および静止棒３２に巻き取られるが、図１０（ｂ）に示すように、旋回棒３１は層間紙３の中途部分を旋回方向に押すので、層間紙３は旋回棒３１において折り返される。そのため、回転板１２Ａの単位回転量当たりの巻き取り量は、折り返し長さＬの分だけ多くなる。これにより、例えば、回転板１２Ａおよび静止板３３の直径を小さくすることができる等の効果を得ることができる。
【００５３】
前記実施形態では、旋回棒３１および静止棒３２はそれぞれ１本ずつ設けられているが、図１１および図１２に示すように、旋回棒３１および静止棒３２はそれぞれ複数設けられていてもよい。旋回棒３１および静止棒３２をそれぞれ複数設けることとすれば、層間紙３の折り返し部分を複数形成することができる。そのため、回転板１２Ａの単位回転量当たりの巻き取り量を更に多くすることができる。なお、図１１および図１２に示す変形例では、旋回棒３１は２本設けられ、静止棒３２は３本設けられているが、それらの本数は何ら限定されない。
【００５４】
以上、本発明の実施の形態について説明したが、前述の実施形態および変形例は例示に過ぎない。本発明は、他にも種々の形態にて実施することができる。
【００５５】
端子リール４の回転力を受けて回転する回転体は、１つまたは複数の回転板に限られない。例えば、回転体は、１つまたは複数の筒状体であってもよい。
【００５６】
第２実施形態およびその変形例において、回転板１２Ａ，１２Ｂ、静止板３３、中間板３６、および支持板３８は、円板に限らず、他の板状体（例えば、楕円板、矩形板）であってもよい。また、板状体に限らず、ブロック体などの他の形状を有していてもよい。
【００５７】
第２実施形態およびその変形例では、回転板１２Ａは金属製であり、回転板１２Ｂはゴム製である。静止板３３および支持板３８は金属製であり、中間板３６は合成樹脂製である。しかし、それらの材料は特に限定される訳ではない。
【符号の説明】
【００５８】
１，１Ａ        層間紙巻き取り装置
２              端子帯
３              層間紙
４              端子リール
４Ａ            軸部
４Ｂ，４Ｃ      円板部
４Ｓ            第１回転面
５              ばね（付勢部材）
１１            支持軸
１２            回転板（回転体）
１２Ａ，１２Ｂ  回転板（回転体）
１２Ｓ          第２回転面
２０            巻き取り機構
２１，２２      巻き取り軸
２３            巻き取り円板部
２３Ａ          第１円板部
２３Ｂ          第２円板部
３１            旋回棒
３２            静止棒
３２ａ          取付部
３３            静止板
３３ａ          取付部
【図１】
2020119806.tif 000003
【図２】
2020119806.tif 000004
【図３】
2020119806.tif 000005
【図４】
2020119806.tif 000006
【図５】
2020119806.tif 000007
【図６】
2020119806.tif 000008
【図７】
2020119806.tif 000009
【図８】
2020119806.tif 000010
【図９】
2020119806.tif 000011
【図１０】
2020119806.tif 000012
【図１１】
2020119806.tif 000013
【図１２】
2020119806.tif 000014